(57)【要約】【課題】担架（ストレッチャーを含む、以下同様）に人を乗せて搬送する場合に、簡易に、また、確実に搬送される人を周囲から見えないように保護する担架の遮蔽カバーを提供する。【解決手段】担架Ａに装着する担架カバー１０であって、担架Ａで搬送される傷病者等を、前記傷病者等から所定の空間Ｓを隔てて、外部から見えないように覆う遮蔽部２０を備えるよう構成した。【選択図】図１
2020018630.tif 000002
【特許請求の範囲】
【請求項１】
担架に装着するカバーであって、担架で搬送される傷病者等を、前記傷病者等から所定の空間を隔てて、外部から見えないように覆う遮蔽部を備えてなることを特徴とする担架カバー。
【請求項２】
前記遮蔽部は一部又は全部に担架の長さ方向に伸縮自在となる伸縮部を備えてなることを特徴とする請求項１に記載の担架カバー。
【請求項３】
担架に装脱自在に固定する装着部を備えることを特徴とする請求項１又は２に記載の担架カバー。
【請求項４】
前記伸縮部は、伸縮可能な蛇腹状に形成されてなることを特徴とする請求項２又は３に記載の担架カバー。
【請求項５】
前記遮蔽部は複数の伸縮部を備え、前記伸縮部は連結部により接合されてなることを特徴とする請求項１乃至請求項４のいずれか一に記載の担架カバー。
【請求項６】
前記連結部は、縮小した前記伸縮部を収納する収納部を備えてなることを特徴とする請求項５に記載の担架カバー。
【請求項７】
請求項１乃至請求項６の何れか一に記載の担架カバーを装着されることを特徴とする担架。
【発明の詳細な説明】
【技術分野】
【０００１】
本発明は、担架（ストレッチャーを含む、以下同様）に人を乗せて搬送する場合に、搬送される人を周囲から見えないように保護するための担架の遮蔽カバーに関する。
【背景技術】
【０００２】
従来、担架で傷病人やご遺体（以下、「傷病人等」という。）を搬送する場合は、傷病人等に毛布やシーツを掛けて搬送したり、又は関係者が複数人でブルーシート等を持ち担架の周辺を囲むようにして遮蔽して傷病人等が周囲から見えないようして搬送している。
【０００３】
しかしながら、傷病人等に毛布やシーツを掛けて搬送する場合は、毛布やシーツが脱落したり、傷病人等が外傷を負っている場合は毛布やシーツが汚れて不衛生となり使用できなくなる場合があり、また、関係者が複数人でブルーシート等を持ち担架の周辺を囲むようにして担架の周辺を遮蔽して傷病人等が周囲から見えないようして搬送する場合は、搬送に複数人の人手が必要となり、また搬送自体に過大な手間が掛かることとなる。また、このような場合は複数人を同時に搬送する場合にも多くの人手が必要となり、搬送に時間が掛かる虞も生じる。
【０００４】
さらに、たとえば、熱中症の患者を搬送する場合には、毛布等をかけて搬送するのは適当ではなく、また、ご遺体をブルーシートで刳るんで搬送する場合にも尊厳を欠くような感情をもたれる場合もある。加えて、降雨の場合に傷病人等を搬送する祭にも、雨に濡れないように搬送する必要も生じる。そして、特に、近年においては、高解像度のカメラを備える携帯電話の普及やＳＮＳ（ソーシャル・ネットワーキング・サービス）の普及からも、プライバシー保護の観点から、搬送される傷病人等を周囲から見えないように保護する必要が高まっている。
【０００５】
そこで、これらの知見から本件出願の出願人は、担架に人を乗せて搬送する場合に、搬送される人を周囲から見えないように保護するための担架の遮蔽カバーを発明するに至った。
【０００６】
また、本件出願人は本願の出願に先立ち、先行技術の調査を行ったが、本願発明と同様の搬送時に搬送される傷病人等を周囲から見えないように担架の遮蔽を目的とする先行技術は見あたらなかった。なお、本願発明と関連性は無いが、搬送される傷病者等を隔離するために担架をカプセル容器で隔離する公知の発明として特公昭５２−３４１５３号（特許文献１）及び特開２００５−２８０５８（特許文献２）に記載のものがあった。
【先行技術文献】
【特許文献】
【０００７】
【特許文献１】特公昭５２−３４１５３号
【特許文献２】特開２００５−２８０５８
【発明の概要】
【発明が解決しようとする課題】
【０００８】
しかしながら、前記の各装置は、搬送される傷病者等が空気感染する虞のある疾病に罹っている場合に、搬送中の傷病者等を隔離して搬送するためのものであって、そもそも発明の課題、機能、作用効果が本願発明と相違するものであり、本願発明の先行技術にはなり得ない。
【０００９】
本発明は、かかる事情に鑑みてなされたものであって、担架（ストレッチャーを含む、以下同様）に人を乗せて搬送する場合に、簡易に、また、確実に搬送される人を周囲から見えないように保護する担架の遮蔽カバーを提供することを目的とする。
【課題を解決するための手段】
【００１０】
請求項１に係る担架カバーは、担架に装着するカバーであって、担架で搬送される傷病者等を、前記傷病者等から所定の空間を隔てて、外部から見えないように覆う遮蔽部を備えてなることを特徴とする。
【００１１】
請求項２に係る担架カバーは、請求項１に記載の担架カバーにおいて、前記遮蔽部は一部又は全部に担架の長さ方向に伸縮自在となる伸縮部を備えてなることを特徴とする。
【００１２】
請求項３に係る担架カバーは、請求項１又は２に記載の担架カバーにおいて、担架に装脱自在に固定する装着部を備えることを特徴とする。
【００１３】
請求項４に係る担架カバーは、請求項２又は３に記載の担架カバーにおいて、前記伸縮部は、伸縮可能な蛇腹状に形成されてなることを特徴とする。
【００１４】
請求項５に係る担架カバーは、請求項１乃至請求項４のいずれか一に記載の担架カバーにおいて、前記遮蔽部は複数の伸縮部を備え、前記伸縮部は連結部により接合されてなることを特徴とする。
【００１５】
請求項６に係る担架カバーは、請求項５に記載の担架カバーにおいて、前記連結部は、縮小した前記伸縮部を収納する収納部を備えてなることを特徴とする。
【００１６】
請求項７に係る担架は、請求項１乃至請求項６の何れか一に記載の担架カバーを装着されることを特徴とする。
【発明の効果】
【００１７】
請求項１に係る担架カバーによれば、担架に装着するカバーであって、担架で搬送される傷病者等を、前記傷病者等から所定の空間を隔てて、外部から見えないように覆う遮蔽部を備えているので、関係者が複数人でブルーシート等を持ち担架の周辺を囲むようにして担架の周辺を遮蔽する必要がなく、担架に装着するだけで搬送される傷病者等を外部から見えないように遮蔽することができる。また、前記遮蔽部は前記傷病者等から所定の空間を隔てて設けられるので、傷病者等と直接接触することは少なく、防汚性が高いものとなる。また、前記担架カバーを合成樹脂や薄い金属板等で形成する場合は、洗いやすく洗浄性に優れ、また軽量性、運搬性、耐久性に優れたものとなる。
【００１８】
請求項２に係る担架カバーによれば、請求項１に記載の担架カバーにおいて、前記遮蔽部は一部又は全部に担架の長さ方向に伸縮自在となる伸縮部を備えているので、取り扱いが容易であり、さらに、運搬性、収納性に優れたものとなる。
【００１９】
請求項３に係る担架カバーによれば、請求項１又は２に記載の担架カバーにおいて、担架に装脱自在に固定する装着部を備えているので、担架への脱着が容易となり、不要な場合は取り外して収納することができる。
【００２０】
請求項４に係る担架カバーによれば、請求項２又は３に記載の担架カバーにおいて、前記伸縮部は、伸縮可能な蛇腹状に形成されているので、取り扱いが容易であり、さらに、運搬性、収納性に優れたものとなる。
【００２１】
請求項５に係る担架カバーによれば、請求項１乃至請求項４のいずれか一に記載の担架カバーにおいて、前記遮蔽部は複数の伸縮部を備え、前記伸縮部は連結部により接合されているので、取り扱いが容易であり、さらに、運搬性、収納性に優れたものとなる。
【００２２】
請求項６に係る担架カバーによれば、請求項５に記載の担架カバーにおいて、前記連結部は、縮小した前記伸縮部を収納する収納部を備えているので、取り扱いが容易であり、さらに、運搬性、収納性に優れたものとなる。
【００２３】
請求項７に係る担架によれば、請求項１乃至請求項６の何れか一に記載の担架カバーを装着されているので、関係者が複数人でブルーシート等を持ち担架の周辺を囲むようにして担架の周辺を遮蔽する必要がなく、担架に装着するだけで搬送される傷病者等を外部から見えないように遮蔽することができる。また、前記遮蔽部は一部又は全部に担架の長さ方向に伸縮自在となる伸縮部を備える場合は、取り扱いが容易であり、さらに、運搬性、収納性に優れたものとなり、さらに、必要に応じて、頭部を遮蔽する部分を収縮されれば、頭部が解放され、搬送中に閉鎖感なく搬送を行うことができる。また、担架に装脱自在に固定する装着部を備える場合は、担架への脱着が容易となり、不要な場合は取り外して収納することができる。また、前記伸縮部が伸縮可能な蛇腹状に形成される場合や、前記遮蔽部は複数の伸縮部を備え、前記伸縮部が連結部により接合される場合や、前記連結部が、縮小した前記伸縮部を収納する収納部を備える場合は、取り扱いが容易となり、さらに、運搬性、収納性に優れたものとなる。
【図面の簡単な説明】
【００２４】
【図１】本発明に係る担架カバーの概略斜視図である。
【図２】本発明に係る担架カバーの側面図である。
【図３】図２のＡ−Ａ線断面図である。
【図４】図２のＢ−Ｂ線断面図である。
【図５】本発明に係る担架カバーの中央縦断面図である。
【図６】伸縮部を圧縮して収納状態とした中央縦断面図である。
【図７】本発明に係る担架カバーを担架に装着した状態を示す概略斜視図である。
【発明を実施するための形態】
【００２５】
以下、本発明を実施するための形態について、図面に従って説明する。
【００２６】
図１は、本発明に係る担架カバーの概略斜視図であり、図２は同側面図であり、図３は図２のＡ−Ａ線断面図であり、図４は図２のＢ−Ｂ線断面図である。また、図５は本発明に係る担架カバーの中央縦断面図である。
【００２７】
図１乃至図５に示すように、符号１０は、本発明に係る担架カバーであり、前記担架カバー１０は、横断面形状を、搬送される傷病者等と一定の空間Ｓを保つように略半円状となるように形成し、前記担架の長さ方向略全体を覆う長さを備えるように形成される遮蔽カバー２０と、前記遮蔽カバー２０を前記担架に着脱自在に装着するための装着部３０とを備えている。なお、本実施では、前記遮蔽カバー２０の横断面形状を略半円状となるように形成したが、この形状に限定されるものではなく、例えば、横断面略コ字状や横断面略く字状となるように形成しても良い。
【００２８】
そして、前記遮蔽カバー２０は、伸縮自在となるように半円筒状の蛇腹状に形成される伸縮部２２，２２・・・と、これらの複数の伸縮部２２，２２・・を連結するとともに、前記伸縮部２２，２２・・を圧縮時において収納することのできる、横断面略半円状となるように湾曲状に形成される板状の連結部２４，２４・・とで構成されている。なお、前記伸縮部２２と前記連結部２４は、光透過性のない合成樹脂で成形されるが、その他、光透過性のない金属製薄板やプラスチック製段ボール等で成形しても良い。なお、前記伸縮部２２や前記連結部２４の素材としては、光透過性があるとしても、例えば、着色により、またはモアレ縞のような、内部を目視で判別できない処理がされていれば良い。
【００２９】
前記連結部２４，２４・・は、図３に示すように、内面の曲面に沿った一端には、後述する担架の一方の持ち手Ｂ（図７参照）に回動自在に強制嵌合可能となるように、円弧状の凹部からなる装着部３０を形成すると共に、内面の曲面に沿った他端には担架の他方の持ち手Ｃ（図７参照）の上部に載置する係止部３２を内方に屈曲するように凸設して形成している。
【００３０】
そして、前記伸縮部２２と前記連結部２４は、前記伸縮部２２の端部が前記連結部２４の内側の中央部において固定するように接合されている。前記の固定は、例えば、前記連結部２４の内側の中央部に内側曲面に沿って溝（図示せず）を設けるか、または内側曲面に沿って２本のリブ（図示せず）を立設して、前記溝の間、又は２本のリブの間に前記伸縮部２２の端部をはめ込み、接着剤等で固定すると良い。このように、前記伸縮部２２の端部を前記連結部２４の内側の中央部に固定しているので、前記連結部２２の内側端部から内側中央部までの空間に、縮小された前記伸縮部２２を収納するように形成しているのである。
【００３１】
図６は、前記伸縮部２２，２２・・を縮めて収納状態とした中央縦断面図である。前記担架カバー１０は、前記のとおり、前記伸縮部２２の端部を前記連結部２４の内側の中央部に固定して、前記連結部２２の内側端部から内側中央部までの空間に、縮められた前記伸縮部２２を収納するように形成しているので、収納時においては、図６に示すように、前記連結部２４．２４・・が、それぞれ、隣接した状態で、収納することができる。
【００３２】
そして、前記連結部２４には、図２及び図４に示すように、前記伸縮部２２，２２・・を縮めて収納状態とする場合に、隣接する前記連結部２４と留め合うことができるように、前記連結部２４の一側面（厚さ幅）に適宜間隔を隔てて円柱状の凸部２４ａを凸設し、一方、前記連結部２４の他側面（厚さ幅）には、前記凸部２４ａと強制嵌合可能な円柱状の凹部２４ｂを凹設しているため、これらを強制嵌合することにより、前記伸縮部２２，２２・・を縮めて収納状態の形状のままで形状維持することができる。
【００３３】
図７は、本発明に係る担架カバーを担架に装着した状態を示す概略斜視図である。本発明に係る前記担架カバー１０は、以上の構成からなるので、図７に示すように、前記担架カバー１０を前記担架Ａに装着するには、予め前記担架Ａに載せられた傷病者等を覆うように前記担架カバー１０を前記担架Ａに載せ、前記連結部２４に設けた前記装着部３０を前記担架Ａの一方の持ち手Ｂに強制嵌合するとともに、前記担架Ａの他方の持ち手Ｃに係止部３２を載置して装着するのである。
【００３４】
また、前記担架Ａの一方の持ち手Ｂに強制嵌合される前記装着部３０は、前記担架Ａの一方の持ち手Ｂに対して回動自在となるように形成されているので、まず、前記担架Ａに前記担架カバー１０の前記装着部３０を嵌めてから前記担架カバー１０を開放した状態で傷病者等を前記担架Ａに載せて、前記前記担架カバー１０を前記傷病者等を覆うように回動させて装着するようにしても良い。
【００３５】
以上のように、以上の構成からなる前記担架カバーを前記担架Ａに装着する場合は、担架で搬送される傷病者等を、前記傷病者等から所定の空間Ｓを隔てて、外部から見えないように覆う遮蔽部２０を備えているので、関係者が複数人でブルーシート等を持ち担架の周辺を囲むようにして担架の周辺を遮蔽する必要がなく、前記担架Ａに装着するだけで搬送される傷病者等を外部から見えないように遮蔽することができる。また、前記遮蔽部２０は前記傷病者等から所定の空間Ｓを隔てて設けられるので、傷病者等と直接接触することは少なく、防汚性が高いものとなる。また、前記担架カバー１０を合成樹脂や金属製薄板やプラスチック製段ボール等で形成する場合は、洗いやすく洗浄性に優れ、また軽量性、運搬性、耐久性に優れたものとなる。
【００３６】
また、前記遮蔽部２０は一部に担架の長さ方向に伸縮自在となる前記伸縮部２２，２２・・を備えているので、取り扱いが容易であり、さらに、運搬性、収納性に優れたものとなる。
【００３７】
さらに、前記担架カバー１０において、前記担架Ａに装脱自在に固定する前記装着部３０を備えているので、前記担架Ａへの脱着が容易となり、不要な場合は取り外して収納することができ、さらに、前記伸縮部２２，２２・・は、伸縮可能な蛇腹状に形成されているので、取り扱いが容易であり、さらに、運搬性、収納性に優れたものとなる。
【００３８】
加えて、前記伸縮部２２，２２・・は前記連結部２４，２４・により接合され、前記連結部は、縮小した前記伸縮部を収納する収納部を備えているので、取り扱いが容易であり、さらに、運搬性、収納性に優れたものとなる。
【００３９】
また、前記担架カバーは上記の構成からなるので、搬送される傷病者等が息苦しくならないように、搬送される傷病者等の頭部を解放するように、前記頭部に該当する前記担架カバー１０の端部の前記伸縮部２２を縮めて、前記頭部を開放して搬送することも可能である。
【００４０】
なお、本実施例においては、４つの前記伸縮部２２を、３つの前記連結部２４で接合して形成したが、前記伸縮部２２及び前記連結部２４は適宜の数で構成しても良い。また、前記担架カバー１０の長さ方向の全部を前記伸縮部２２で構成しても良い。その場合、前記装着部３０は前記伸縮部２３に形成すると良い。
【符号の説明】
【００４１】
１０  担架カバー
２０  遮蔽部
２２  伸縮部
２４  連結部
２４ａ  凸部
２４ｂ  凹部
３０  装着部
３２  係止部
Ａ    担架
Ｂ    担架の一方の持ち手
Ｃ    担架の他方に持ち手
【図１】
2020018630.tif 000003
【図２】
2020018630.tif 000004
【図３】
2020018630.tif 000005
【図４】
2020018630.tif 000006
【図５】
2020018630.tif 000007
【図６】
2020018630.tif 000008
【図７】
2020018630.tif 000009
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
担架に装着するカバーであって、担架で搬送される傷病者等を、前記傷病者等から所定の空間を隔てて、外部から見えないように覆う遮蔽部を備える担架であって、
前記遮蔽部は、伸縮自在となる蛇腹状の複数の伸縮部と、前記伸縮部を連結する複数の連結部を備え、前記連結部は、内面の曲面に沿った一端に、担架の一方の持ち手に回動自在に嵌合され前記担架の幅方向に回動して開閉可能となる装着部を形成してなることを特徴とする担架カバー。
【請求項２】
前記連結部の内面の曲面に沿った他端には、内方に屈曲するように凸設される、担架の他方の持ち手の上部に載置する係止部を形成してなることを特徴とする請求項１に記載の担架カバー。
【請求項３】
前記連結部は、縮小した前記伸縮部を収納する収納部を備えてなることを特徴とする請求項１又は２に記載の担架カバー。
【請求項４】
前記連結部は、前記連結部の一側面である厚さ幅に適宜間隔を隔てて凸部を凸設すると共に、前記連結部の他側面である厚さ幅に、隣接する前記連結部の凸部と強制嵌合可能な凹部を凹設してなることを特徴とする請求項３に記載の担架カバー。
【請求項５】
請求項１乃至請求項４の何れか一に記載の担架カバーを装着されることを特徴とする担架。
【手続補正２】
【補正対象書類名】明細書
【補正対象項目名】全文
【補正方法】変更
【補正の内容】
【発明の詳細な説明】
【技術分野】
【０００１】
本発明は、担架（ストレッチャーを含む、以下同様）に人を乗せて搬送する場合に、搬送される人を周囲から見えないように保護するための担架の遮蔽カバーに関する。
【背景技術】
【０００２】
従来、担架で傷病人やご遺体（以下、「傷病人等」という。）を搬送する場合は、傷病人等に毛布やシーツを掛けて搬送したり、又は関係者が複数人でブルーシート等を持ち担架の周辺を囲むようにして遮蔽して傷病人等が周囲から見えないようして搬送している。
【０００３】
しかしながら、傷病人等に毛布やシーツを掛けて搬送する場合は、毛布やシーツが脱落したり、傷病人等が外傷を負っている場合は毛布やシーツが汚れて不衛生となり使用できなくなる場合があり、また、関係者が複数人でブルーシート等を持ち担架の周辺を囲むようにして担架の周辺を遮蔽して傷病人等が周囲から見えないようして搬送する場合は、搬送に複数人の人手が必要となり、また搬送自体に過大な手間が掛かることとなる。また、このような場合は複数人を同時に搬送する場合にも多くの人手が必要となり、搬送に時間が掛かる虞も生じる。
【０００４】
さらに、たとえば、熱中症の患者を搬送する場合には、毛布等をかけて搬送するのは適当ではなく、また、ご遺体をブルーシートで刳るんで搬送する場合にも尊厳を欠くような感情をもたれる場合もある。加えて、降雨の場合に傷病人等を搬送する祭にも、雨に濡れないように搬送する必要も生じる。そして、特に、近年においては、高解像度のカメラを備える携帯電話の普及やＳＮＳ（ソーシャル・ネットワーキング・サービス）の普及からも、プライバシー保護の観点から、搬送される傷病人等を周囲から見えないように保護する必要が高まっている。
【０００５】
そこで、これらの知見から本件出願の出願人は、担架に人を乗せて搬送する場合に、搬送される人を周囲から見えないように保護するための担架の遮蔽カバーを発明するに至った。
【０００６】
また、本件出願人は本願の出願に先立ち、先行技術の調査を行ったが、本願発明と同様の搬送時に搬送される傷病人等を周囲から見えないように担架の遮蔽を目的とする先行技術は見あたらなかった。なお、本願発明と関連性は無いが、搬送される傷病者等を隔離するために担架をカプセル容器で隔離する公知の発明として特公昭５２−３４１５３号（特許文献１）及び特開２００５−２８０５８（特許文献２）に記載のものがあった。
【先行技術文献】
【特許文献】
【０００７】
【特許文献１】特公昭５２−３４１５３号
【特許文献２】特開２００５−２８０５８
【発明の概要】
【発明が解決しようとする課題】
【０００８】
しかしながら、前記の各装置は、搬送される傷病者等が空気感染する虞のある疾病に罹っている場合に、搬送中の傷病者等を隔離して搬送するためのものであって、そもそも発明の課題、機能、作用効果が本願発明と相違するものであり、本願発明の先行技術にはなり得ない。
【０００９】
本発明は、かかる事情に鑑みてなされたものであって、担架（ストレッチャーを含む、以下同様）に人を乗せて搬送する場合に、簡易に、また、確実に搬送される人を周囲から見えないように保護する担架の遮蔽カバーを提供することを目的とする。
【課題を解決するための手段】
【００１０】
請求項１に係る担架カバーは、担架に装着するカバーであって、担架で搬送される傷病者等を、前記傷病者等から所定の空間を隔てて、外部から見えないように覆う遮蔽部を備える担架であって、前記遮蔽部は、伸縮自在となる蛇腹状の複数の伸縮部と、前記伸縮部を連結する複数の連結部を備え、前記連結部は、内面の曲面に沿った一端に、担架の一方の持ち手に回動自在に嵌合され前記担架の幅方向に回動して開閉可能となる装着部を形成してなることを特徴とする。
【００１１】
請求項２に係る担架カバーは、請求項１に記載の担架カバーにおいて、前記連結部の内面の曲面に沿った他端には、内方に屈曲するように凸設される、担架の他方の持ち手の上部に載置する係止部を形成してなることを特徴とする。
【００１２】
請求項３に係る担架カバーは、請求項１又は２に記載の担架カバーにおいて、前記連結部は、縮小した前記伸縮部を収納する収納部を備えてなることを特徴とする。
【００１３】
請求項４に係る担架カバーは、請求項３に記載の担架カバーにおいて、前記連結部は、前記連結部の一側面である厚さ幅に適宜間隔を隔てて凸部を凸設すると共に、前記連結部の他側面である厚さ幅に、隣接する前記連結部の凸部と強制嵌合可能な凹部を凹設してなることを特徴とする。
【００１４】
削除
【００１５】
削除
【００１６】
請求項５に係る担架は、請求項１乃至請求項４の何れか一に記載の担架カバーを装着されることを特徴とする。
【発明の効果】
【００１７】
請求項１に係る担架カバーによれば、担架に装着するカバーであって、担架で搬送される傷病者等を、前記傷病者等から所定の空間を隔てて、外部から見えないように覆う遮蔽部を備え担架であって、前記遮蔽部は、伸縮自在となる蛇腹状の複数の伸縮部と、前記伸縮部を連結する複数の連結部を備え、前記連結部は、内面の曲面に沿った一端に、担架の一方の持ち手に回動自在に嵌合され前記担架の幅方向に回動して開閉可能となる装着部を形成しているので、関係者が複数人でブルーシート等を持ち担架の周辺を囲むようにして担架の周辺を遮蔽する必要がなく、担架に装着するだけで搬送される傷病者等を外部から見えないように遮蔽することができる。また、前記遮蔽部は前記傷病者等から所定の空間を隔てて設けられるので、傷病者等と直接接触することは少なく、防汚性が高いものとなる。また、前記担架カバーを合成樹脂や薄い金属板等で形成する場合は、洗いやすく洗浄性に優れ、また軽量性、運搬性、耐久性に優れたものとなる。
【００１８】
請求項２に係る担架カバーによれば、請求項１に記載の担架カバーにおいて、前記連結部の内面の曲面に沿った他端には、内方に屈曲するように凸設される、担架の他方の持ち手の上部に載置する係止部を形成しているので、取り扱いが容易であり、さらに、運搬性、収納性に優れたものとなる。
【００１９】
請求項３に係る担架カバーによれば、請求項１又は２に記載の担架カバーにおいて、前記連結部は、縮小した前記伸縮部を収納する収納部を備えているので、取り扱いが容易であり、さらに、運搬性、収納性に優れたものとなる。
【００２０】
請求項４に係る担架カバーによれば、請求項３に記載の担架カバーにおいて、前記連結部は、前記連結部の一側面である厚さ幅に適宜間隔を隔てて凸部を凸設すると共に、前記連結部の他側面である厚さ幅に、隣接する前記連結部の凸部と強制嵌合可能な凹部を凹設しているので、取り扱いが容易であり、さらに、運搬性、収納性に優れたものとなる。
【００２１】
削除
【００２２】
削除
【００２３】
請求項５に係る担架によれば、請求項１乃至請求項４の何れか一に記載の担架カバーを装着されているので、関係者が複数人でブルーシート等を持ち担架の周辺を囲むようにして担架の周辺を遮蔽する必要がなく、担架に装着するだけで搬送される傷病者等を外部から見えないように遮蔽することができる。また、前記遮蔽部は一部又は全部に担架の長さ方向に伸縮自在となる伸縮部を備える場合は、取り扱いが容易であり、さらに、運搬性、収納性に優れたものとなり、さらに、必要に応じて、頭部を遮蔽する部分を収縮されれば、頭部が解放され、搬送中に閉鎖感なく搬送を行うことができる。また、担架に装脱自在に固定する装着部を備える場合は、担架への脱着が容易となり、不要な場合は取り外して収納することができる。また、前記伸縮部が伸縮可能な蛇腹状に形成される場合や、前記遮蔽部は複数の伸縮部を備え、前記伸縮部が連結部により接合される場合や、前記連結部が、縮小した前記伸縮部を収納する収納部を備える場合は、取り扱いが容易となり、さらに、運搬性、収納性に優れたものとなる。
【図面の簡単な説明】
【００２４】
【図１】本発明に係る担架カバーの概略斜視図である。
【図２】本発明に係る担架カバーの側面図である。
【図３】図２のＡ−Ａ線断面図である。
【図４】図２のＢ−Ｂ線断面図である。
【図５】本発明に係る担架カバーの中央縦断面図である。
【図６】伸縮部を圧縮して収納状態とした中央縦断面図である。
【図７】本発明に係る担架カバーを担架に装着した状態を示す概略斜視図である。
【発明を実施するための形態】
【００２５】
以下、本発明を実施するための形態について、図面に従って説明する。
【００２６】
図１は、本発明に係る担架カバーの概略斜視図であり、図２は同側面図であり、図３は図２のＡ−Ａ線断面図であり、図４は図２のＢ−Ｂ線断面図である。また、図５は本発明に係る担架カバーの中央縦断面図である。
【００２７】
図１乃至図５に示すように、符号１０は、本発明に係る担架カバーであり、前記担架カバー１０は、横断面形状を、搬送される傷病者等と一定の空間Ｓを保つように略半円状となるように形成し、前記担架の長さ方向略全体を覆う長さを備えるように形成される遮蔽カバー２０と、前記遮蔽カバー２０を前記担架に着脱自在に装着するための装着部３０とを備えている。なお、本実施では、前記遮蔽カバー２０の横断面形状を略半円状となるように形成したが、この形状に限定されるものではなく、例えば、横断面略コ字状や横断面略く字状となるように形成しても良い。
【００２８】
そして、前記遮蔽カバー２０は、伸縮自在となるように半円筒状の蛇腹状に形成される伸縮部２２，２２・・・と、これらの複数の伸縮部２２，２２・・を連結するとともに、前記伸縮部２２，２２・・を圧縮時において収納することのできる、横断面略半円状となるように湾曲状に形成される板状の連結部２４，２４・・とで構成されている。なお、前記伸縮部２２と前記連結部２４は、光透過性のない合成樹脂で成形されるが、その他、光透過性のない金属製薄板やプラスチック製段ボール等で成形しても良い。なお、前記伸縮部２２や前記連結部２４の素材としては、光透過性があるとしても、例えば、着色により、またはモアレ縞のような、内部を目視で判別できない処理がされていれば良い。
【００２９】
前記連結部２４，２４・・は、図３に示すように、内面の曲面に沿った一端には、後述する担架の一方の持ち手Ｂ（図７参照）に回動自在に強制嵌合可能となるように、円弧状の凹部からなる装着部３０を形成すると共に、内面の曲面に沿った他端には担架の他方の持ち手Ｃ（図７参照）の上部に載置する係止部３２を内方に屈曲するように凸設して形成している。
【００３０】
そして、前記伸縮部２２と前記連結部２４は、前記伸縮部２２の端部が前記連結部２４の内側の中央部において固定するように接合されている。前記の固定は、例えば、前記連結部２４の内側の中央部に内側曲面に沿って溝（図示せず）を設けるか、または内側曲面に沿って２本のリブ（図示せず）を立設して、前記溝の間、又は２本のリブの間に前記伸縮部２２の端部をはめ込み、接着剤等で固定すると良い。このように、前記伸縮部２２の端部を前記連結部２４の内側の中央部に固定しているので、前記連結部２２の内側端部から内側中央部までの空間に、縮小された前記伸縮部２２を収納するように形成しているのである。
【００３１】
図６は、前記伸縮部２２，２２・・を縮めて収納状態とした中央縦断面図である。前記担架カバー１０は、前記のとおり、前記伸縮部２２の端部を前記連結部２４の内側の中央部に固定して、前記連結部２２の内側端部から内側中央部までの空間に、縮められた前記伸縮部２２を収納するように形成しているので、収納時においては、図６に示すように、前記連結部２４．２４・・が、それぞれ、隣接した状態で、収納することができる。
【００３２】
そして、前記連結部２４には、図２及び図４に示すように、前記伸縮部２２，２２・・を縮めて収納状態とする場合に、隣接する前記連結部２４と留め合うことができるように、前記連結部２４の一側面（厚さ幅）に適宜間隔を隔てて円柱状の凸部２４ａを凸設し、一方、前記連結部２４の他側面（厚さ幅）には、前記凸部２４ａと強制嵌合可能な円柱状の凹部２４ｂを凹設しているため、これらを強制嵌合することにより、前記伸縮部２２，２２・・を縮めて収納状態の形状のままで形状維持することができる。
【００３３】
図７は、本発明に係る担架カバーを担架に装着した状態を示す概略斜視図である。本発明に係る前記担架カバー１０は、以上の構成からなるので、図７に示すように、前記担架カバー１０を前記担架Ａに装着するには、予め前記担架Ａに載せられた傷病者等を覆うように前記担架カバー１０を前記担架Ａに載せ、前記連結部２４に設けた前記装着部３０を前記担架Ａの一方の持ち手Ｂに強制嵌合するとともに、前記担架Ａの他方の持ち手Ｃに係止部３２を載置して装着するのである。
【００３４】
また、前記担架Ａの一方の持ち手Ｂに強制嵌合される前記装着部３０は、前記担架Ａの一方の持ち手Ｂに対して回動自在となるように形成されているので、まず、前記担架Ａに前記担架カバー１０の前記装着部３０を嵌めてから前記担架カバー１０を開放した状態で傷病者等を前記担架Ａに載せて、前記前記担架カバー１０を前記傷病者等を覆うように回動させて装着するようにしても良い。
【００３５】
以上のように、以上の構成からなる前記担架カバーを前記担架Ａに装着する場合は、担架で搬送される傷病者等を、前記傷病者等から所定の空間Ｓを隔てて、外部から見えないように覆う遮蔽部２０を備えているので、関係者が複数人でブルーシート等を持ち担架の周辺を囲むようにして担架の周辺を遮蔽する必要がなく、前記担架Ａに装着するだけで搬送される傷病者等を外部から見えないように遮蔽することができる。また、前記遮蔽部２０は前記傷病者等から所定の空間Ｓを隔てて設けられるので、傷病者等と直接接触することは少なく、防汚性が高いものとなる。また、前記担架カバー１０を合成樹脂や金属製薄板やプラスチック製段ボール等で形成する場合は、洗いやすく洗浄性に優れ、また軽量性、運搬性、耐久性に優れたものとなる。
【００３６】
また、前記遮蔽部２０は一部に担架の長さ方向に伸縮自在となる前記伸縮部２２，２２・・を備えているので、取り扱いが容易であり、さらに、運搬性、収納性に優れたものとなる。
【００３７】
さらに、前記担架カバー１０において、前記担架Ａに装脱自在に固定する前記装着部３０を備えているので、前記担架Ａへの脱着が容易となり、不要な場合は取り外して収納することができ、さらに、前記伸縮部２２，２２・・は、伸縮可能な蛇腹状に形成されているので、取り扱いが容易であり、さらに、運搬性、収納性に優れたものとなる。
【００３８】
加えて、前記伸縮部２２，２２・・は前記連結部２４，２４・により接合され、前記連結部は、縮小した前記伸縮部を収納する収納部を備えているので、取り扱いが容易であり、さらに、運搬性、収納性に優れたものとなる。
【００３９】
また、前記担架カバーは上記の構成からなるので、搬送される傷病者等が息苦しくならないように、搬送される傷病者等の頭部を解放するように、前記頭部に該当する前記担架カバー１０の端部の前記伸縮部２２を縮めて、前記頭部を開放して搬送することも可能である。
【００４０】
なお、本実施例においては、４つの前記伸縮部２２を、３つの前記連結部２４で接合して形成したが、前記伸縮部２２及び前記連結部２４は適宜の数で構成しても良い。また、前記担架カバー１０の長さ方向の全部を前記伸縮部２２で構成しても良い。その場合、前記装着部３０は前記伸縮部２３に形成すると良い。
【符号の説明】
【００４１】
１０  担架カバー
２０  遮蔽部
２２  伸縮部
２４  連結部
２４ａ  凸部
２４ｂ  凹部
３０  装着部
３２  係止部
Ａ    担架
Ｂ    担架の一方の持ち手
Ｃ    担架の他方に持ち手